(57)【要約】【課題】浅層埋設化が可能な仮設トイレ用配管システムを提供する。【解決手段】横方向に沿って地中に埋設された排水横管と、前記排水横管の長手方向に沿って互いに間隔をあけて配置され上下方向に延伸する複数の縦管と、前記縦管の上端部の周囲に配置される防護蓋とを備え、前記縦管は、前記排水横管にサドル、Ｔ字型継手及びマスの中の何れか１つを介して直接接続され、前記縦管と前記防護蓋との間に隙間を形成することを特徴とする。【選択図】図２
2019078049.tif 000002
【特許請求の範囲】
【請求項１】
横方向に沿って地中に埋設された排水横管と、
前記排水横管の長手方向に沿って互いに間隔をあけて配置され上下方向に延伸する複数の縦管と、
前記縦管の上端部の周囲に配置される防護蓋と
を備え、
前記縦管は、前記排水横管にサドル、Ｔ字型継手及びマスの中の何れか１つを介して直接接続され、前記縦管と前記防護蓋との間に隙間を形成することを特徴とする仮設トイレ用配管システム。
【請求項２】
前記縦管は、上部に内蓋及び該内蓋の角度を調整する角度調整部材を備えることを特徴とする請求項１記載の仮設トイレ用配管システム。
【発明の詳細な説明】
【技術分野】
【０００１】
本発明は、仮設トイレ用配管システムに関するものである。
【背景技術】
【０００２】
近年、地震などの災害が発生した場合に、学校や防災公園などの避難場所において複数の仮設トイレを設置できるようにした仮設トイレ用配管構造が提案されている（例えば特許文献１参照。）。この仮設トイレ用配管構造においては、地中に埋設され横方向に延伸する排水管と、この排水管に互いに間隔をあけて接続され上端部が地表面に開口し、その上に仮設トイレを設置可能な複数の縦管とを有している。また排水管の一端部が接続されたマンホールと、マンホールと既設の下水管とを連結し、マンホール内の汚物や流体を下水管に流出させる流出管を有している。更に、マンホール内に突出している排水管の一端部の開口を開閉する貯水ゲート（弁装置）が設けられている。
【先行技術文献】
【特許文献】
【０００３】
【特許文献１】特許第４１０４１９７号公報
【発明の概要】
【発明が解決しようとする課題】
【０００４】
ところで公園への設置においては、設置場所から下水管までの距離が長くなることがあるため、現状の埋設深さでは管路勾配をとることが困難になることから仮設トイレ用配管システムを浅く埋設する必要がある。しかし、従来の仮設トイレ用配管システムでは、サドルまたはＴ字型継手またはマスを介し、さらに角度調整ができる自在受口を介して縦管が排水管に接続されているため、自在受け口の長さ以下の浅層埋設ができないという問題があった。
【０００５】
本発明の目的は、浅層埋設化が可能な仮設トイレ用配管システムを提供することである。
【課題を解決するための手段】
【０００６】
本発明の仮設トイレ用配管システムは、地中において横方向に埋設された排水横管と、前記排水横管の長手方向に沿って互いに間隔をあけて配置され上下方向に延伸する複数の縦管と、前記縦管の上端部の周囲に配置される防護蓋とを備え、前記縦管は、前記排水横管にサドル、Ｔ字型継手及びマスの中の何れか１つを介して直接接続され、前記縦管と前記防護蓋との間に所定の隙間を形成することを特徴とする。
【０００７】
また本発明の仮設トイレ用配管システムは、前記縦管が上部に内蓋及び該内蓋の角度を調整する角度調整部材を備えることを特徴とする。
【発明の効果】
【０００８】
本発明によれば、浅層埋設化が可能な仮設トイレ用配管システムを提供することができる。
【図面の簡単な説明】
【０００９】
【図１】実施の形態に係る仮設トイレ用配管システムの縦断面図である。
【図２】実施の形態に係る仮設トイレ用配管システムの縦管及び防護蓋の構成を示す図である。
【図３】実施の形態に係る縦管上部に設けられた角度調整部材を示す図である。
【図４】実施の形態に係る縦管上部に設けられた角度調整部材付内蓋を示す図である。
【図５】実施の形態に係る受け口サドルを一体構造とした縦管の側面図である。
【図６】実施の形態に係るＴ字型継手を一体構造とした縦管の側面図である。
【図７】実施の形態に係るマスを一体構造とした縦管の側面図である。
【発明を実施するための形態】
【００１０】
以下、図面を参照して、実施の形態に係る仮設トイレ用配管システムについて説明する。図１は実施の形態に係る仮設トイレ用配管システムの縦断面図である。図１に示すように、仮設トイレ用配管システム２は、地中において横方向に、即ち地表面３に沿って所定の勾配で埋設された排水横管４と、排水横管４にその長手方向に沿って互いに間隔をあけて接続され、上下方向に延伸する複数の縦管５とを備えている。
【００１１】
排水管横４は、塩化ビニル樹脂によって形成されており、上流側端部が管端接着止水キャップ４ａにより閉塞されている。排水横管４の上部には、排水横管４の長手方向に沿って、互いに間隔をあけて複数本、ここでは６本の縦管５が受け口サドル６を介して排水管横４に直接接続されている。
【００１２】
図２は、縦管及び防護蓋の構成を示す図である。この図に示すように縦管５は、上部５aに開口を開閉する塩化ビニル樹脂製の内蓋５ｂを備えている。また縦管５の上部５aの周囲には、防護蓋７が配置されている。防護蓋７は、筒状形状を有し仮設トイレを支持する再生プラスチック製の台座７ａ、円筒形状を有し台座８上に設置される鋳鉄製の支持枠７ｂ及び支持枠７ｂの上部開口を開閉する鋳鉄製の蓋７ｃにより構成されている。災害発生時には、各縦管５の内蓋５ｂ及び防護蓋７を外し仮設トイレを設置する。
【００１３】
ここで縦管５と防護蓋と７の間に所定の隙間が形成されている。即ち縦管５の上部５aの外壁と防護蓋７を構成する台座７ａの内壁との間には、所定の隙間Ｘが形成されている。
【００１４】
本実施の形態に係る仮設トイレ用配管システム２によれば、縦管５を自在受け口部を介さず、受け口サドル６により排水横管４に直接接続するため、自在受け口長さ分だけ浅く埋設することができる。また排水横管４の勾配が大きい場合においても、縦管５の上部５aの外壁と防護蓋７を構成する台座７ａの内壁との間に所定の隙間Ｘが形成されているため、縦管５の上部５aが防護蓋７に接触することがなく仮設トイレ用配管システム２の設置を行うことができる。
【００１５】
なお上述の実施の形態において、図３に示すように縦管５の上部５aに内蓋５ｂの傾きを地表面３と水平になるように調整する角度調整部材８を設置するようにしてもよい。角度調整部材８は円筒状の部材であり一方の端部が中心軸に対して傾斜している。角度調整部材８を用いることにより、排水横管４の勾配が大きい場合においても、内蓋５ｂを地表面３と水平にすることができ、内蓋５ｂが防護蓋７に接触し取り付けられないという不具合が生じるのを防止することができる。また内蓋５ｂと角度調整部材８を一体として形成した場合には、縦管５の上部５ａを閉塞する内蓋５ｂを回転させることにより内蓋５ｂを地表面３と水平にすることができる。
【００１６】
また上述の実施の形態において、図４に示すように内蓋と角度調整部材を一体とした角度調整部材付内蓋を用いてもよい。角度調整部材付内蓋１０は、上端が閉じた円筒状の部材であり、下端近傍の外壁面にゴム輪１０ａが配置されており、下端が縦管５の上部５ａに嵌合される。角度調整部材付内蓋１０は、縦管５の上部５ａに嵌合させた状態で角度調整部材付内蓋１０の角度を調整することができる。また内蓋と角度調整部材を一体にしているため、施工性が向上し部材をコンパクトにすることができる。
【００１７】
また上述の実施の形態において、縦管５と受け口サドル６を一体構造としてもよい。図５は、受け口サドル６を一体として形成した縦管５を示す側面図（排水横管４に設置された状態における側面図）である。縦管５は、現場で高さ調整ができるように切断可能に構成されている。例えば図５においてハッチングで示す部分を現場で切断する。縦管５と受け口サドル６を一体構造とすることで施工性をより向上させることができ、内蓋５ｂを地表面３と水平にすることができる。
【００１８】
また上述の実施の形態において、縦管５とＴ字型継手１１を一体構造としてもよい。図６は、Ｔ字型継手１１を一体として形成した縦管５を示す側面図（排水横管４に設置された状態における側面図）である。縦管５は、現場で高さ調整ができるように切断可能に構成されている。例えば図６においてハッチングで示す部分を現場で切断する。縦管５とＴ字型継手１１を一体構造とすることで施工性をより向上させることができ内蓋５ｂを地表面３と水平にすることができる。
【００１９】
また上述の実施の形態において、縦管５とマス１２を一体構造としてもよい。図７は、マス１２を一体として形成した縦管５を示す側面図（排水横管４に設置された状態における側面図）である。縦管５は、現場で高さ調整ができるように切断可能に構成されている。例えば図７においてハッチングで示す部分を現場で切断する。縦管５とマス１２を一体構造とすることで施工性をより向上させることができ内蓋５ｂを地表面３と水平にすることができる。
【実施例】
【００２０】
仮設トイレ用配管システム２の排水横管４に塩ビ管φ４５０を用い所定の勾配で地中に埋設する。縦管５は、塩ビ管φ２００を用い、受口サドル６を介し排水横管４と直接接続する。縦管５の上部に塩ビ製の内蓋５ｂを設置し、地表面３に鋳鉄製の防護蓋７を設ける。この時縦管５の呼び径φ２００に対してφ３００の防護蓋７を用いる。この実施例では、縦管５と防護蓋７との隙間Ｘは最小で８０ｍｍ程度、土かぶりは２６ｃｍである。
【００２１】
例えば、縦管５の長さ１．２ｍの場合のずれは、縦管５が１．０度傾くと２１ｍｍ、１．５度傾くと３１ｍｍとなり、縦管の長さ０．５ｍの場合のずれは、縦管５が１．０度傾くと９ｍｍ、１．５度傾くと１３ｍｍ、３．０度傾くと５２ｍｍとなる。容易な施工を考えた場合、少なくとも１．０度程度の傾きを許容したいことから、隙間Ｘは１０ｍｍ以上確保することが好ましい。さらに好ましくは、隙間Ｘは３０ｍｍ以上である。
【００２２】
呼び径φ２００の縦管５とφ２００の防護蓋７を用いる場合でも、隙間は１０ｍｍ以上確保できるよう、防護蓋７を選定する。または、防護蓋７を加工することにより隙間Ｘを確保してもよい。
【００２３】
隙間Ｘは大きいほど、施工時のズレを吸収できるが、大きすぎると防護蓋７の径が大きくなりすぎて設置スペースをとってしまう。よって隙間Ｘは１５０ｍｍ以下とすることが好ましい。
【符号の説明】
【００２４】
２…仮設トイレ用配管システム、４…排水横管、５…縦管、５ｂ…内蓋、６…受け口サドル、７…防護蓋、７ｃ…蓋、８…角度調整部材、１０…角度調整部材付内蓋
【図１】
2019078049.tif 000003
【図２】
2019078049.tif 000004
【図３】
2019078049.tif 000005
【図４】
2019078049.tif 000006
【図５】
2019078049.tif 000007
【図６】
2019078049.tif 000008
【図７】
2019078049.tif 000009